(57)【要約】      （修正有）【課題】簡単な構成で、除雪作業の自由度が高く、効率よく除雪可能な除雪ユニットを提供する。【解決手段】刈払機に装着する除雪用ユニットＵであって、前記刈払機のギアヘッドの出力軸と接続する入力部１１ａと、前記入力部に入力された動力を出力する出力部１１ｂを備えた接合部と、前記接合部の出力部から出力された動力を受ける軸受１２と、前記軸受けと接続し、前記出力部からの動力に基づいて回転する回転軸１３と、前記回転軸を収納し、先端側に雪を導入するための開口部１４ａと、接合部側に導入された雪を排出するための排出口１４ｂを有する筐体１４と、前記回転軸の排出口相当部分に設けられた前記回転軸の回転に同期して回転する回転板１５と、前記回転板上に設けられ、前記回転板の回転により前記開口部から導入された雪を排出口に案内する雪排出ブレード１６を備える。【選択図】図１
2014161233.tif 000002
【特許請求の範囲】
【請求項１】
刈払機に装着する除雪用ユニットであって、
前記刈払機のギアヘッドの出力軸と接続する入力部と、前記入力部に入力された動力を出力する出力部を備えた接合部と、
前記接合部の出力部から出力された動力を受ける軸受と、
前記軸受けと接続し、前記出力部からの動力に基づいて回転する回転軸と、
前記回転軸を収納し、先端側に雪を導入するための開口部と、接合部側に導入された雪を排出するための排出口を有する筐体と、
前記回転軸の排出口相当部分に設けられた前記回転軸の回転に同期して回転する回転板と、
前記回転板上に設けられ、前記回転板の回転により前記開口部から導入された雪を排出口に案内する雪排出ブレードと、
を有することを特徴とする除雪用ユニット。
【請求項２】
前記開口部は、前記回転軸を回動自在に支持する支持部を有していることを特徴とする請求項１に記載の除雪用ユニット。
【請求項３】
前記除雪用ユニットは前記回転軸の回転板と開口部との間に前記回転軸の回転に同期して駆動する集雪オーガーを備えていることを特徴とする請求項１または請求項２に記載の除雪用ユニット。
【請求項４】
前記筐体は、前記刈払機と接続し、前記除雪用ユニットと前記刈払機との固定を支持する固定部材を備えていることを特徴とする請求項１から請求項３のいずれか１項に記載の除雪用ユニット。
【発明の詳細な説明】
【技術分野】
【０００１】
本発明は、除雪ユニットに関する。より詳しく述べると、刈払機と接続して除雪作業を行うための除雪ユニットに関する。
【背景技術】
【０００２】
刈払機とは、草や小径木を刈払うための機械であり、原動機、シャフト、回転刃からなり、操作者は、シャフトに固定されたハンドルを操作して刈払いを行う。刈払機に使用する原動機として家庭の小作業には電動機、水田の畦や道路脇などの草刈りには小型エンジンを動力とした刈払機が用いられる。
【０００３】
このような刈払機の回転刃を交換して、除雪機能を付加することが知られている。例えば、特許文献１には刈払機のギアヘッドの出力軸に固着され、前記出力軸の回転と同期して回転する回転体と、前記回転体を内部に取付けて当該回転体の外側を覆う中空形状の中空体からなり、当該中空体の上面側に前記ギアヘッドの基端を露出して、前記ギアヘッドと前記刈払機の駆動軸との連結を許容する小開口を少なくとも形成すると共に、当該小開口の周縁部により前記ギアヘッドまたは前記刈払機の駆動軸部分を係止して、前記ギアヘッドを周方向に相対的に位置決めし、前記ギアヘッドとの相対回転を阻止する筐体とを備え前記回転体は、複数の羽根を下側に向けて配設した遠心ファン状をなし、当該複数の羽根の回転により除雪自在な除雪回転体であり、前記筐体は、前記除雪回転体を内部に取付けて当該除雪回転体の上面側及び外周面側を覆うと共に、下面側の全体を開放して前記除雪回転体の下側に配設した複数の羽根の全体を下方に露出する除雪用開口とした中空形状の中空体からなる除雪アタッチメントが開示されている。
【０００４】
また、特許文献２には、Ｕ字型両手ハンドルが取着される操作杆に駆動軸が内装され、該駆動軸の一端に駆動源の出力軸が連結され、他端に回転ヘッドの入力軸が接合される刈払機本体部と前記回転ヘッドの出力軸に除雪用回転羽根が着脱自在に装着されてなる除雪部とから構成される携帯簡易除雪機において、前記除雪部は縦型ケースに前記除雪用回転羽根の垂直回転軸が回動自在に軸支される集雪オーガーから成り、前記縦型ケースは上部所要位置から下端部に渡る周面に雪掻込み口が開口されて前記操作杆に取着され、前記縦型ケースの上部には角笛状の投雪昇圧部が内設され、該投雪昇圧部の終端に開口される投雪口には、揺動手段を具備して集雪オーガーの垂直回転軸の周囲所要範囲に渡って揺動自在に支持されるシュートが連設されてなる携帯簡易除雪機が開示されている。
【先行技術文献】
【特許文献】
【０００５】
【特許文献１】特開２００７−２８９０４０号公報
【特許文献２】特開２００９−２２１７１１号公報
【発明の概要】
【発明が解決しようとする課題】
【０００６】
しかしながら、特許文献１に記載のユニットでは除雪作業においては積雪面の任意の位置からでは除雪に伴って吐出口が塞がれて排雪できず、吐出口が閉塞されない位置や姿勢で除雪しなければならず、しかも、ケーシングの周面方向すなわち除雪回転体の軸心と直交する方向には移動できないなどの欠点がある。
【０００７】
また、特許文献２に記載の携帯簡易除雪機は、集雪オーガーで集雪した雪がケース内で詰まることが多く作業性が悪いという欠点がある。
【０００８】
したがって、本発明の課題は、簡単な構成で除雪作業の自由度が高く効率よく除雪可能な除雪ユニットを提供することである。
【課題を解決するための手段】
【０００９】
上記課題を解決する本発明は、刈払機に装着する除雪用ユニットであって、前記刈払機のギアヘッドの出力軸と接続する入力部と、前記入力部に入力された動力を出力する出力部を備えた接合部と、前記接合部の出力部から出力された動力を受ける軸受と、前記軸受けと接続し、前記出力部からの動力に基づいて回転する回転軸と、前記回転軸を収納し、先端側に雪を導入するための開口部と、接合部側に導入された雪を排出するための排出口を有する筐体と、前記回転軸の排出口相当部分に設けられた前記回転軸の回転に同期して回転する回転板と、前記回転板上に設けられ、前記回転板の回転により前記開口部から導入された雪を排出口に案内する雪排出ブレードと、を有することを特徴とする除雪用ユニットに関する。
【００１０】
本発明の除雪用ユニットにおいて、前記開口部は、前記回転軸を回動自在に支持する支持部を有していることが好ましい。
【００１１】
本発明の除雪用ユニットは、前記回転軸の回転板と開口部との間に前記回転軸の回転に同期して駆動する集雪オーガーを備えていることができる。
【００１２】
本発明の除雪用ユニットにおいて、前記筐体は、前記刈払機と接続し、前記除雪用ユニットと前記刈払機との固定を支持する固定部材を備えていることが好ましい。
【発明の効果】
【００１３】
本発明の除雪用ユニットは、刈払機のギアヘッドの出力軸と接続する入力部と、前記入力部に入力された動力を出力する出力部を備えた接合部と、前記接合部の出力部から出力された動力を受ける軸受と、前記軸受けと接続し、前記出力部からの動力に基づいて回転する回転軸と、前記回転軸を収納し、先端側に雪を導入するための開口部と、接合部側に導入された雪を排出するための排出口を有する筐体と、前記回転軸の排出口相当部分に設けられた前記回転軸の回転に同期して回転する回転板と、前記回転板上に設けられ、前記回転板の回転により前記開口部から導入された雪を排出口に案内する雪排出ブレードと、を有している。そのため、開口部から導入された雪は、刈払機からの出力により絶えず回転している回転板上に設けられた雪排出ブレードにより筐体の雪を排出できる構成となっている。そのため、筐体内に導入された雪が詰まることなく、安定して除雪作業を行うことができる。
【００１４】
また、本発明の除雪用ユニットは、所望に応じて着脱自在に集雪オーガーを備えることができる。この場合、集雪オーガーにより効率よく雪を導入することができ、筐体内に導入された雪が詰まることなく、安定して除雪作業を行うことができる。
【図面の簡単な説明】
【００１５】
【図１】本発明の一実施形態に係る除雪ユニットを示す図面である。
【図２】図１の主要部を示す図面であり、（ａ）は側面図、（ｂ）は開口部側からみた平面図である。
【図３】図１に示す除雪ユニットの支持部を示す図面である。
【図４】本発明の別の実施形態に係る除雪ユニットを示す図面である。
【発明を実施するための形態】
【００１６】
以下、本発明の実施の形態を添付図面に基づいて説明する。
図１に示す通り、本発明の除雪用ユニットＵは、刈払機に装着する除雪用ユニットであり、刈払機と接続するための接合部１１と、接合部１１からの動力を受ける軸受１２と、回転軸１３と、回転軸１３を収納し、先端側に雪を導入するための開口部１４ａと、接合部側に導入された雪を排出するための排出口１４ｂを有する筐体１４と、回転板１５と、雪排出ブレード１６とから主として構成されている。
【００１７】
接合部１１は、刈払機のギアヘッドの出力軸と接続する入力部１１ａと、入力部１１ａに入力された刈払機からの動力を出力する出力部１１ｂを備えており、前記出力部１１ｂからの出力を軸受け１２を介して回転軸１３に伝えている。
【００１８】
回転軸１３は、刈払機の出力により回転する回転軸であり、軸受け１２と支持部１７により回動自在に支持されている。そして、回転軸１３は、筐体の排出口１３ｂに相当する部分に回転板１５が回転軸１３に対して垂直に固着され、回転板１５は、回転軸の回転と同期して回転する。
【００１９】
この回転板１５は、図１および図２に示す通り回転軸１３の所定位置に回転軸１３に対して垂直に固着され、そして複数の雪排出ブレード１６が回転板１５上に立設されている。
【００２０】
雪排出ブレード１６は、回転板１５の回転に伴い回転軸１３と同心方向に回転する。
【００２１】
また、所望に応じて、回転軸１３は、除雪作業の間安定して動作させるために、図１および図３に示す通り、支持部１７により回動自在に支持されていることが好ましい。
【００２２】
すなわち、支持部１７は、図３に示す通り、回転軸１３の開口部１４ａ側の端部を回動自在に支持するための軸受け１７ａと、開口部１４ａを閉塞せず筐体１４に固定するための筐体１４と軸受け１７ｂとを固定する支持板１７ｂとから構成されている。
【００２３】
このように構成された本発明の除雪用ユニットＵは、刈払機に接続し、刈払機の動力により回転軸１３を回転駆動させる。この回転駆動により回転軸１３に回転板１５を介して設けた複数の雪排出用ブレード１６を回転軸１３と同心的に回転させる。雪排出用ブレード１６は、入力された雪を筐体１４の排出口１４ｂに案内するように動作する。
【００２４】
そのため、図２に示す通り、筐体１３の開口部１３ａから入力された雪（図２（ａ）参照：雪インＩＮ）は、雪排出ブレード１６に案内されて連続的に筐体１４の排出口１４ｂに送られ排出される（図２（ｂ）参照：雪アウト）。
【００２５】
したがって、開口部１４ａから筐体１４内に導入された雪は、詰まることなく連続して排出口１４ｂから排出することが可能となる。そのため、本発明の除雪用ユニットＵは、筐体内に詰まった雪を排出することによって、除雪作業を中断することなく連続して安定に除雪作業を行うことができる。
【００２６】
また、本発明の好ましい実施形態によると、本発明の除雪用ユニットＵは、図４に示す通り回転板と開口部との間に前記回転軸の回転に同期して駆動する集雪オーガー１８設けることができる。
【００２７】
このように本発明の除雪用ユニットＵに集雪オーガー１８Ｕを設けることにより、より固まった雪に対しても除雪作業を中断することなく連続して安定に除雪作業を行うことができる。
【産業上の利用可能性】
【００２８】
本発明の除雪用ユニットは、刈払機からの出力により回転軸と同期して回転する回転板上に設けられた雪排出ブレードにより筐体の雪を排出できる構成となっている。そのため、筐体内に導入された雪が詰まることなく、安定して除雪作業を行うことができる。
【００２９】
また、本発明の除雪用ユニットは、所望に応じて着脱自在に集雪オーガーを備えることができる。この場合、集雪オーガーにより効率よく雪を導入することができ、筐体内に導入された雪が詰まることなく、安定して除雪作業を行うことができる。
【符号の説明】
【００３０】
Ｕ  除雪ユニット
１１  接続部
１２  軸受け部
１３  回転軸
１４  筐体
１４ａ  開口部
１４ｂ  排出口
１５  回転板
１６  雪排出ブレード
１７  支持部
１８  集雪オーガー
【図１】
2014161233.tif 000003
【図２】
2014161233.tif 000004
【図３】
2014161233.tif 000005
【図４】
2014161233.tif 000006